(57)【要約】【課題】液滴吐出ヘッドのノズル面に付着するインクおよび洗浄液を効率よく回収する。【解決手段】液体を吐出する複数のノズルが配置されたヘッドモジュール７２−ｉを複数連続して繋ぎ合わせた液滴吐出ヘッド７２であって、繋ぎ合わせたヘッドモジュール７２−ｉ同士の間に、多孔質構造を有する吸収性部材１０２を備える液滴吐出ヘッドである。また、この液体吐出ヘッドとノズル面を払拭する払拭装置とを備えるノズル面のメンテナンスシステムである。【選択図】図５
2014051028.tif 000002
【特許請求の範囲】
【請求項１】
液体を吐出する複数のノズルが配置されたヘッドモジュールを複数連続して繋ぎ合わせた液滴吐出ヘッドであって、
繋ぎ合わせた前記ヘッドモジュール同士の間に、多孔質構造を有する吸収性部材を備える液滴吐出ヘッド。
【請求項２】
前記吸収性部材は、前記吸収性部材の形状を維持する形状維持部材に包まれている請求項１に記載の液滴吐出ヘッド。
【請求項３】
前記形状維持部材が金属性、または、樹脂性の材料で形成されている請求項２に記載の液滴吐出ヘッド。
【請求項４】
前記形状維持部材は、繋ぎ合わせた前記ヘッドモジュール間に着脱可能で配置されている請求項２または３に記載の液滴吐出ヘッド。
【請求項５】
前記形状維持部材は、隣り合う前記ヘッドモジュールと接することで、前記ヘッドモジュールの位置を決定することができるスペーサーである請求項２から４のいずれか１項に記載の液滴吐出ヘッド。
【請求項６】
前記形状維持部材の前記ヘッドモジュールと当接する当接部が、隣り合う前記ヘッドモジュール間の距離を直径とする円形である請求項５に記載の液滴吐出ヘッド。
【請求項７】
前記形状維持部材の前記ノズルと反対側に前記吸収性部材を大気開放する開口部を備える請求項２から６のいずれか１項に記載の液滴吐出ヘッド。
【請求項８】
前記形状維持部材の前記開口部側にドライエアを流す請求項７に記載の液滴吐出ヘッド。
【請求項９】
前記形状維持部材は取っ手を有する請求項２から８のいずれか１項に記載の液滴吐出ヘッド。
【請求項１０】
前記吸収性部材は取っ手を有する請求項１から９のいずれか１項に記載の液滴吐出ヘッド。
【請求項１１】
前記ヘッドモジュールの側面が、親水性である請求項１から７のいずれか１項に記載の液滴吐出ヘッド。
【請求項１２】
請求項１から１１のいずれか１項に記載の液滴吐出ヘッドと、
前記液滴吐出ヘッドの前記ヘッドモジュールの配置方向に沿って、前記ノズルが形成されたノズル面を払拭する払拭装置と、
を備えたノズル面のメンテナンスシステム。
【発明の詳細な説明】
【技術分野】
【０００１】
本発明は液滴吐出ヘッドおよびノズル面のメンテナンスシステムに係り、特に、複数のヘッドモジュールを繋ぎ合わせて形成される液滴吐出ヘッドおよびノズル面のメンテナンスシステムに関する。
【背景技術】
【０００２】
画像記録装置、例えば、インクジェット記録装置で用いられるインクジェットヘッドのノズル面には、使用により余剰インク、または、メンテナンス時の洗浄液がノズル面に付着する。そのため、余剰インクや洗浄液をいかに効率よく除去するかが、インクジェットヘッドの寿命や信頼性、印字性能、被記録媒体への汚損の有無に非常に重要な課題となっている。
【０００３】
例えば、下記の特許文献１には、インク吐出口面を撥インク性に処理し、その周辺をインク吐出方向に突出した親インク性部材で保護し、メンテナンス位置で多孔質弾性体を押圧することで、余剰インクを回収・除去する装置が記載されている。
【０００４】
また、特許文献２には、複数個のヘッドモジュールを一列に配置し、ライン化したラインヘッドの一例として、ワイパーブレードの摺動によって、ノズル面に付着したインクをワイピングし、このワイピングしたインクをインクジェット記録ヘッドの長手方向側面に沿って設けたインク吸収体に吸収させる液体吐出装置が記載されている。
【先行技術文献】
【特許文献】
【０００５】
【特許文献１】特開２００６−４４１６３号公報
【特許文献２】特開２００８−１４３０３９号公報
【発明の概要】
【発明が解決しようとする課題】
【０００６】
しかしながら、特許文献１に記載されている装置では、メンテナンス部材だけで液を回収しているため、ノズル周りの凹凸機構の形状により余剰インクを完全に回収することが出来ず、インクが吐出面に残留していた。そのため、次吐出の際に、吐出曲がりやサテライトを引き起こしたり、残存インクの落下を引き起こしたりする原因となっていた。
【０００７】
また、特許文献２に記載されている装置では、ヘッドモジュールのつなぎ目に溝を設けており、この溝にインクが溜まりやすくなっているため、ワイパーブレードとラインヘッドの長手方向の側面に設けられた吸収体、すなわち、メンテナンス部材の通過方向と平行に設けられた吸収体だけでは、溝に溜まったインクを完全に除去することは出来なかった。インクを除去しきれなかった場合、それらが集まり落下し、記録媒体の汚損を引き起こす原因となっていた。
【０００８】
本発明はこのような事情に鑑みてなされたものであり、液滴吐出ヘッドのノズル面に付着するインクおよび洗浄液を効率よく回収することができる液滴吐出ヘッドおよびノズル面のメンテナンスシステムを提供することを目的とする。
【課題を解決するための手段】
【０００９】
本発明は前記目的を達成するために、液体を吐出する複数のノズルが配置されたヘッドモジュールを複数連続して繋ぎ合わせた液滴吐出ヘッドであって、繋ぎ合わせたヘッドモジュール同士の間に、多孔質構造を有する吸収性部材を備える液滴吐出ヘッドを提供する。
【００１０】
本発明によれば、繋ぎ合わせたヘッドモジュール間に多孔質構造を有する吸収性部材を備えているので、ヘッドモジュールのノズル面に残った余剰のインク、または、メンテナンス時の洗浄液をヘッドモジュール間の吸収性部材で吸収させることができる。また、吸収性部材は多孔質構造を有しているので、毛管圧により、容易に吸収させることができる。したがって、ノズルの回りに付着した余剰のインク、洗浄液を容易に除去することができる。
【００１１】
本発明の他の態様に係る液滴吐出ヘッドは、吸収性部材は、吸収性部材の形状を維持する形状維持部材に包まれていることが好ましい。
【００１２】
本発明の他の態様に係る液滴吐出ヘッドによれば、吸収性部材が形状維持部材に包まれているので、吸収性部材が変形することを防止することができ、また、吸収性部材がヘッドモジュールに当たることにより、吸収したインクおよび洗浄液の再放出を防止することができる。
【００１３】
本発明の他の態様に係る液滴吐出ヘッドは、形状維持部材が金属性、または、樹脂性の材料で形成されていることが好ましい。
【００１４】
本発明の他の態様に係る液滴吐出ヘッドによれば、形状維持部材を金属性、または、樹脂性の材料で形成することにより、より強固の形状維持部材を作製することができるので、吸収性部材の形状変化を防止することができる。
【００１５】
本発明の他の態様に係る液滴吐出ヘッドは、形状維持部材は、つなぎ合わせたヘッドモジュール間に着脱可能で配置されていることが好ましい。
【００１６】
本発明の他の態様に係る液滴吐出ヘッドによれば、形状維持部材をヘッドモジュール間に着脱可能で配置されているため、吸収性部材の交換を容易に行うことができる。
【００１７】
本発明の他の態様に係る液滴吐出ヘッドは、形状維持部材は、隣り合うヘッドモジュールと接することで、ヘッドモジュールの位置を決定することができるスペーサーであることが好ましい。
【００１８】
本発明の他の態様に係る液滴吐出ヘッドによれば、形状維持部材を隣り合うヘッドモジュールと当接することで、ヘッドモジュールの位置決めを行うことができるスペーサーとして用いることができる。したがって、ヘッドモジュール交換後のヘッドモジュールの位置決めを容易に行うことができる。
【００１９】
本発明の他の態様に係る液滴吐出ヘッドは、形状維持部材のヘッドモジュールと当接する当接部が、隣り合うヘッドモジュール間の距離を直径とする円形であることが好ましい。
【００２０】
本発明の他の態様に係る液滴吐出ヘッドによれば、形状維持部材のヘッドモジュールと当接する当接部を隣り合うヘッドモジュール間の距離を直径とする円形としているので、ヘッドモジュール間の幅方向に複数の形状維持部材を配置することで、吸収性部材を配置することができる。そのため、単独の部材で形状維持部材を形成した場合は、ヘッドモジュール間の位置を決められるように、ヘッドモジュールの幅方向全域において精度よく製造する必要があるが、形状維持部材を複数とすることで、単独の部材で形成した場合と比較し、個々形状維持部材の精度が低くてもヘッドモジュールの位置を決定することができる。
【００２１】
本発明の他の態様に係る液滴吐出ヘッドは、形状維持部材のノズルと反対側に吸収性部材を大気開放する開口部を備えることが好ましい。
【００２２】
本発明の他の態様に係る液滴吐出ヘッドによれば、形状維持部材に吸収性部材を大気開放する開口部を備えているので、吸収性部材が吸収した液体の蒸発を促進させることができ、吸収性部材の交換頻度を下げることができる。
【００２３】
本発明の他の態様に係る液滴吐出ヘッドは、形状維持部材の開放部側にドライエアを流すことが好ましい。
【００２４】
本発明の他の態様に係る液滴吐出ヘッドによれば、形状維持部材の開口部側にドライエアを流しているので、吸収性部材の乾燥を効率良く行うことができ、吸収した液体の蒸発を促すことができる。
【００２５】
本発明の他の態様に係る液滴吐出ヘッドは、形状維持部材は取っ手を有することが好ましい。
【００２６】
本発明の他の態様に係る液滴吐出ヘッドによれば、形状維持部材に取っ手を設けることで、形状維持部材と吸収性部材を容易に取り外すことができ、形状維持部材、吸収性部材の交換を容易に行うことができる。
【００２７】
本発明の他の態様に係る液滴吐出ヘッドは、吸収性部材は取っ手を有することが好ましい。
【００２８】
本発明の他の態様に係る液滴吐出ヘッドによれば、吸収性部材に取っ手を設けることで、吸収性部材のみの交換を容易に行なうことができる。
【００２９】
本発明の他の態様に係る液滴吐出ヘッドは、ヘッドモジュールの側面が、親水性であることが好ましい。
【００３０】
本発明の他の態様に係る液滴吐出ヘッドによれば、ヘッドモジュールの側面を親水性としているので、ノズル面に付着した余剰のインク、および、洗浄液をヘッドモジュール間に引き込むことができる。そして、吸収性部材で吸収し、除去することで効率良く液体の除去を行うことができる。
【００３１】
本発明は前記目的を達成するために、上記記載の液滴吐出ヘッドと、液滴吐出ヘッドのヘッドモジュールの配置方向に沿って、ノズルが形成されたノズル面を払拭する払拭装置と、を備えたノズル面のメンテナンスシステムを提供する。
【００３２】
本発明によれば、ヘッドモジュールの配置方向に沿ってノズル面を払拭する払拭装置を備え、吸収性部材は、ヘッドモジュール間に幅方向に備えられている。したがって、ノズル面を払拭すると、払拭方向のヘッドモジュール間に設けられた吸収性部材で余剰のインクまたは洗浄液を吸収させることができるので、効率良くノズル面の払拭を行なうことができる。
【発明の効果】
【００３３】
本発明の液滴吐出ヘッドおよびノズル面のメンテナンスシステムによれば、複数の繋ぎ合わせたヘッドモジュールの間に、多孔質構造を有する吸収性部材を備えているので、この吸収性部材にノズル面に付着した余剰のインク、洗浄液を吸収性部材で吸収することができるので、ノズル面に付着した液体を効果的に除去することができる。
【図面の簡単な説明】
【００３４】
【図１】インクジェット記録装置の全体構成図である。
【図２】図１に示すインクジェットヘッドの構成例を示す平面図である。
【図３】図２の一部拡大図である。
【図４】図２に示すヘッドモジュールの平面透視図である。
【図５】インクジェットヘッドのヘッドモジュールの繋ぎ合わせ部の側面図である。
【図６】形状維持部材の実施形態を示す平面図、正面図、および、側面図である。
【図７】形状維持部材の他の実施形態を示す平面図、正面図、および、側面図である。
【図８】吸収部材の実施形態を示す図である。
【図９】インクジェット記録装置の描画部の概略構成を示す側面図である。
【図１０】インクジェット記録装置の描画部の正面図である。
【発明を実施するための形態】
【００３５】
以下、添付図面に従って本発明に係る液滴吐出ヘッドおよびノズル面のメンテナンスシステムの好ましい実施の形態について説明する。なお、以下では、液滴吐出ヘッドの一例として、インクジェットヘッドについて説明する。また、このインクジェットヘッドを有するインクジェット記録装置について説明する。
【００３６】
≪インクジェット記録装置の全体構成≫
まず、インクジェット記録装置の全体構成について説明する。図１は、インクジェット記録装置の全体構成を示した構成図である。
【００３７】
このインクジェット記録装置１０は、描画部１６の圧胴（描画ドラム７０）に保持された記録媒体２４（便宜上「用紙」と呼ぶ場合がある。）にインクジェットヘッド７２Ｍ、７２Ｋ、７２Ｃ、７２Ｙから複数色のインクを打滴して所望のカラー画像を形成する圧胴直描方式のインクジェット記録装置であり、インクの打滴前に記録媒体２４上に処理液（ここでは凝集処理液）を付与し、処理液とインク液を反応させて記録媒体２４上に画像形成を行なう２液反応（凝集）方式が適用されたオンデマンドタイプの画像形成装置である。
【００３８】
図示のように、インクジェット記録装置１０は、主として、給紙部１２、処理液付与部１４、描画部１６、乾燥部１８、定着部２０、および排出部２２を備えて構成される。
【００３９】
（給紙部）
給紙部１２は、記録媒体２４を処理液付与部１４に供給する機構であり、当該給紙部１２には、枚葉紙である記録媒体２４が積層されている。給紙部１２には、給紙トレイ５０が設けられ、この給紙トレイ５０から記録媒体２４が一枚ずつ処理液付与部１４に給紙される。
【００４０】
本例のインクジェット記録装置１０では、記録媒体２４として、紙種や大きさ（用紙サイズ）の異なる複数種類の記録媒体２４を使用することができる。給紙部１２において各種の記録媒体をそれぞれ区別して集積する複数の用紙トレイ（不図示）を備え、これら複数の用紙トレイの中から給紙トレイ５０に送る用紙を自動で切り換える態様も可能であるし、必要に応じてオペレータが用紙トレイを選択し、若しくは交換する態様も可能である。なお、本例では、記録媒体２４として、枚葉紙（カット紙）を用いるが、連続用紙（ロール紙）から必要なサイズに切断して給紙する構成も可能である。
【００４１】
（処理液付与部）
処理液付与部１４は、記録媒体２４の記録面に処理液を付与する機構である。処理液は、描画部１６で付与されるインク中の色材（本例では顔料）を凝集させる色材凝集剤を含んでおり、この処理液とインクとが接触することによって、インクは色材と溶媒との分離が促進される。
【００４２】
図１に示すように、処理液付与部１４は、給紙胴５２、処理液ドラム５４、および処理液塗布装置５６を備えている。処理液ドラム５４は、記録媒体２４を保持し、回転搬送させるドラムである。処理液ドラム５４は、その外周面に爪形状の保持手段（グリッパー）５５を備え、この保持手段５５の爪と処理液ドラム５４の周面の間に記録媒体２４を挟み込むことによって記録媒体２４の先端を保持できるようになっている。処理液ドラム５４は、その外周面に吸着穴を設けるとともに、吸着穴から吸引を行なう吸引手段を接続してもよい。これにより記録媒体２４を処理液ドラム５４の周面に密着保持することができる。
【００４３】
処理液ドラム５４の外側には、その周面に対向して処理液塗布装置５６が設けられる。処理液塗布装置５６は、処理液が貯留された処理液容器と、この処理液容器の処理液に一部が浸漬されたアニックスローラと、アニックスローラと処理液ドラム５４上の記録媒体２４に圧接されて計量後の処理液を記録媒体２４に転移するゴムローラとで構成される。この処理液塗布装置５６によれば、処理液を計量しながら記録媒体２４に塗布することができる。
【００４４】
処理液付与部１４で処理液が付与された記録媒体２４は、処理液ドラム５４から中間搬送部２６を介して描画部１６の描画ドラム７０へ受け渡される。
【００４５】
（描画部）
描画部１６は、描画ドラム（第２の搬送体）７０、用紙抑えローラ７４、およびインクジェットヘッド７２Ｍ，７２Ｋ，７２Ｃ，７２Ｙを備えている。描画ドラム７０は、処理液ドラム５４と同様に、その外周面に爪形状の保持手段（グリッパー）７１を備える。描画ドラム７０に固定された記録媒体２４は、記録面が外側を向くようにして搬送され、この記録面にインクジェットヘッド７２Ｍ，７２Ｋ，７２Ｃ，７２Ｙからインクが付与される。
【００４６】
インクジェットヘッド７２Ｍ，７２Ｋ，７２Ｃ，７２Ｙはそれぞれ、記録媒体２４における画像形成領域の最大幅に対応する長さを有するフルライン型のインクジェット方式の記録ヘッド（インクジェットヘッド）とすることが好ましい。インク吐出面には、画像形成領域の全幅にわたってインク吐出用のノズルが複数配列されたノズル列が形成されている。各インクジェットヘッド７２Ｍ，７２Ｋ，７２Ｃ，７２Ｙは、記録媒体２４の搬送方向（描画ドラム７０の回転方向）と直交する方向に延在するように設置される。
【００４７】
描画ドラム７０上に密着保持された記録媒体２４の記録面に向かって各インクジェットヘッド７２Ｍ，７２Ｋ，７２Ｃ，７２Ｙから、対応する色インクの液滴が吐出されることにより、処理液付与部１４で予め記録面に付与された処理液にインクが接触し、インク中に分散する色材（顔料）が凝集され、色材凝集体が形成される。これにより、記録媒体２４上での色材流れなどが防止され、記録媒体２４の記録面に画像が形成される。
【００４８】
なお、本例では、ＣＭＹＫの標準色（４色）の構成を例示したが、インク色や色数の組合せについては本実施形態に限定されず、必要に応じて淡インク、濃インク、特別色インクを追加してもよい。例えば、ライトシアン、ライトマゼンタなどのライト系インクを吐出するインクジェットヘッドを追加する構成も可能であり、各色ヘッドの配置順序も特に限定はない。
【００４９】
描画部１６で画像が形成された記録媒体２４は、描画ドラム７０から中間搬送部２８を介して乾燥部１８の乾燥ドラム７６へ受け渡される。
【００５０】
（乾燥部）
乾燥部１８は、色材凝集作用により分離された溶媒に含まれる水分を乾燥させる機構であり、図１に示すように、乾燥ドラム７６、および溶媒乾燥装置７８を備えている。
【００５１】
乾燥ドラム７６は、処理液ドラム５４と同様に、その外周面に爪形状の保持手段（グリッパー）７７を備え、この保持手段７７によって記録媒体２４の先端を保持できるようになっている。
【００５２】
溶媒乾燥装置７８は、乾燥ドラム７６の外周面に対向する位置に配置され、複数のＩＲヒータ８２と、各ＩＲヒータ８２の間にそれぞれ配置された温風噴出しノズル８０とで構成される。
【００５３】
各温風噴出しノズル８０から記録媒体２４に向けて吹き付けられる温風の温度と風量、各ＩＲヒータ８２の温度を適宜調節することにより、様々な乾燥条件を実現することができる。
【００５４】
また、乾燥ドラム７６の表面温度は５０℃以上に設定されている。記録媒体２４の裏面から加熱を行なうことによって乾燥が促進され、定着時における画像破壊を防止することができる。なお、乾燥ドラム７６の表面温度の上限については、特に限定されるものではないが、乾燥ドラム７６の表面に付着したインクをクリーニングするなどのメンテナンス作業の安全性（高温による火傷防止）の観点から７５℃以下（より好ましくは６０℃以下）に設定されることが好ましい。
【００５５】
乾燥ドラム７６の外周面に、記録媒体２４の記録面が外側を向くように（即ち、記録媒体２４の記録面が凸側となるように湾曲させた状態で）保持し、回転搬送しながら乾燥することで、記録媒体２４のシワや浮きの発生を防止でき、これらに起因する乾燥ムラを確実に防止することができる。
【００５６】
乾燥部１８で乾燥処理が行なわれた記録媒体２４は、乾燥ドラム７６から中間搬送部３０を介して定着部２０の定着ドラム８４へ受け渡される。
【００５７】
（定着部）
定着部２０は、定着ドラム８４、ハロゲンヒータ８６、定着ローラ８８、およびインラインセンサ９０で構成される。定着ドラム８４は、処理液ドラム５４と同様に、その外周面に爪形状の保持手段（グリッパー）８５を備え、この保持手段８５によって記録媒体２４の先端を保持できるようになっている。
【００５８】
定着ドラム８４の回転により、記録媒体２４は記録面が外側を向くようにして搬送され、この記録面に対して、ハロゲンヒータ８６による予備加熱と、定着ローラ８８による定着処理と、インラインセンサ９０による検査が行なわれる。
【００５９】
ハロゲンヒータ８６は、所定の温度（例えば、１８０℃）に制御される。これにより、記録媒体２４の予備加熱が行なわれる。
【００６０】
定着ローラ８８は、乾燥させたインクを加熱加圧することによってインク中の自己分散性熱可塑性樹脂微粒子を溶着し、インクを皮膜化させるためのローラ部材であり、記録媒体２４を加熱加圧するように構成される。具体的には、定着ローラ８８は、定着ドラム８４に対して圧接するように配置されており、定着ドラム８４との間でニップローラを構成するようになっている。これにより、記録媒体２４は、定着ローラ８８と定着ドラム８４との間に挟まれ、所定のニップ圧（例えば、０．１５ＭＰａ）でニップされ、定着処理が行なわれる。
【００６１】
また、定着ローラ８８は、熱伝導性の良いアルミなどの金属パイプ内にハロゲンランプを組み込んだ加熱ローラによって構成され、所定の温度（たとえば６０〜８０℃）に制御される。この加熱ローラで記録媒体２４を加熱することによって、インクに含まれる熱可塑性樹脂微粒子のＴｇ温度（ガラス転移点温度）以上の熱エネルギーが付与され、熱可塑性樹脂微粒子が溶融される。これにより、記録媒体２４の凹凸に押し込み定着が行なわれるとともに、画像表面の凹凸がレベリングされ、光沢性が得られる。
【００６２】
なお、図１の実施形態では、定着ローラ８８を１つだけ設けた構成となっているが、画像層厚みや熱可塑性樹脂微粒子のＴｇ特性に応じて、複数段設けた構成でもよい。
【００６３】
一方、インラインセンサ９０は、記録媒体２４に定着された画像について、チェックパターンや水分量、表面温度、光沢度などを計測するための計測手段であり、ＣＣＤラインセンサなどが適用される。
【００６４】
上記の如く構成された定着部２０によれば、乾燥部１８で形成された薄層の画像層内の熱可塑性樹脂微粒子が定着ローラ８８によって加熱加圧されて溶融されるので、記録媒体２４に固定定着させることができる。また、定着ドラム８４の表面温度を５０℃以上に設定することで、定着ドラム８４の外周面に保持された記録媒体２４を裏面から加熱することによって乾燥が促進され、定着時における画像破壊を防止することができるとともに、画像温度の昇温効果によって画像強度を高めることができる。
【００６５】
また、インク中にＵＶ硬化性モノマーを含有させた場合は、乾燥部で水分を充分に揮発
させた後に、ＵＶ照射ランプを備えた定着部で、画像にＵＶを照射することで、ＵＶ硬化性モノマーを硬化重合させ、画像強度を向上させることができる。
【００６６】
（排出部）
図１に示すように、定着部２０に続いて排出部２２が設けられている。排出部２２は、排出トレイ９２を備えており、この排出トレイ９２と定着部２０の定着ドラム８４との間に、これらに対接するように渡し胴９４、搬送ベルト９６、張架ローラ９８が設けられている。記録媒体２４は、渡し胴９４により搬送ベルト９６に送られ、排出トレイ９２に排出される。
【００６７】
また、図には示されていないが、本例のインクジェット記録装置１０には、上記構成の他、各インクジェットヘッド７２Ｍ，７２Ｋ，７２Ｃ，７２Ｙにインクを供給するインク貯蔵／装填部、処理液付与部１４に対して処理液を供給する手段を備えるとともに、各インクジェットヘッド７２Ｍ，７２Ｋ，７２Ｃ，７２Ｙのクリーニング（ノズル面のワイピング、パージ、ノズル吸引等）を行なうヘッドメンテナンス部や、用紙搬送路上における記録媒体２４の位置を検出する位置検出センサ、装置各部の温度を検出する温度センサなどを備えている。
【００６８】
図２は、ヘッド７２の構造例を示す平面図であり、ヘッド７２をノズル面７２Ａ側から見た図である。また、図３は図２の一部拡大図である。
【００６９】
図２に示すように、ヘッド７２はｎ個のヘッドモジュール７２−ｉ（ｉ＝１，２，３，…，ｎ）を長手方向（記録媒体２４（図１参照）の搬送方向と直交する方向）に沿ってつなぎ合わせた構造を有し、記録媒体の全幅に対応する長さにわたって複数のノズル（図２中不図示）が設けられている。
【００７０】
各ヘッドモジュール７２−ｉは、ヘッド７２における短手方向の両側からヘッドモジュール支持部材７２Ｂによって支持されている。また、ヘッド７２の長手方向における両端部はヘッド支持部材７２Ｄによって支持されている。
【００７１】
図３に示すように、各ヘッドモジュール７２−ｉ（ｎ番目のヘッドモジュール７２−ｎ）は、複数のノズルがマトリクス状に配列された構造を有している。図３において符号１５１Ａを付して図示した斜めの実線は、複数のノズルが一列に並べられたノズル列を表している。
【００７２】
図４（ａ）は、ヘッドモジュール７２−ｉの平面透視図であり、図４（ｂ）はその一部の拡大図である。
【００７３】
記録媒体２４上に形成されるドットピッチを高密度化するためには、ヘッド７２におけるノズルピッチを高密度化する必要がある。本例のヘッドモジュール７２−ｉは、図４（ａ）、（ｂ）に示すように、インク吐出口であるノズル１５１と、各ノズル１５１に対応する圧力室１５２等からなる複数のインク室ユニット（記録素子単位としての液滴吐出素子）１５３を千鳥でマトリクス状に（２次元的に）配置させた構造を有し、これにより、ヘッド長手方向（記録媒体２４の搬送方向と直交する方向；主走査方向）に沿って並ぶように投影される実質的なノズル間隔（投影ノズルピッチ）の高密度化を達成している。
【００７４】
各ノズル１５１に対応して設けられている圧力室１５２は、その平面形状が概略正方形となっており、対角線上の両隅部の一方にノズル１５１が設けられ、他方に供給口１５４が設けられている。なお、圧力室１５２の形状は、本例に限定されず、平面形状が四角形（菱形、長方形など）、五角形、六角形その他の多角形、円形、楕円形など、多様な形態
があり得る。
【００７５】
かかる構造を有するインク室ユニット１５３を図４（ｂ）に示す如く、主走査方向に沿う行方向および主走査方向に対して直交しない一定の角度θを有する斜めの列方向に沿って一定の配列パターンで格子状に多数配列させることにより、本例の高密度ノズルヘッドが実現されている。
【００７６】
即ち、主走査方向に対してある角度θの方向に沿ってインク室ユニット１５３を一定のピッチｄで複数配列する構造により、主走査方向に並ぶように投影されたノズルのピッチＰはｄ×ｃｏｓθとなり、主走査方向については、各ノズル１５１が一定のピッチＰで直線状に配列されたものと等価的に取り扱うことができる。このような構成により、主走査方向に並ぶように投影されるノズル列が１インチ当たり２４００個（２４００ノズル／インチ）におよぶ高密度のノズル構成を実現することが可能になる。
【００７７】
なお、本発明の実施に際してノズルの配置構造は図示の例に限定されず、副走査方向に一列のノズル列を有する配置構造など、様々なノズル配置構造を適用できる。
【００７８】
図５は、ヘッドモジュール７２−ｉ同士の繋ぎ合わせ部の側面図である。図５に示すように、ヘッドモジュール７２−ｉの間は、多孔質加工した吸収部材１０２を備える。
【００７９】
吸収部材１０２を備えることにより、余剰のインク、洗浄液を吸収部材１０２で吸収することができる。吸収部材１０２で余剰のインクを吸収させることにより、ヘッドモジュール７２−ｉ間にインクが溜まり固まりとなり固着物となり、ノズル面７２Ａを傷つけることを防止することができる。また、吸収部材１０２で吸収することにより、ヘッドモジュール７２−ｉ間に溜まったインクが、液体のまま落下することを防止することができる。
【００８０】
また、ヘッドモジュール７２−ｉの吸収部材１０２を有する側の側面１０４には親水処理が施されていることが好ましい。親水化処理を施すことにより、ヘッドモジュール７２−ｉのつなぎ目の隙間において、親水端面がノズル面の液滴を隙間に引き込み、吸収部材１０２の毛管圧により余剰インクおよび洗浄液を吸収し、除去することができる。
【００８１】
吸収部材１０２は、図５に示すように、形状維持部材１０６で保持されてヘッドモジュール７２−ｉの間に設けられている。吸収部材１０２を図５に示すような形状維持部材１０６で包むことで、吸収部材１０２の変形を軽減することができ、吸収部材１０２がヘッドモジュール７２−ｉに押されることにより。吸収したインクおよび洗浄液が再放出することを防ぐことができる。また、形状維持部材１０６は、ヘッドモジュール７２−ｉ間に着脱可能で配置されている。形状維持部材１０６を着脱可能に配置することで、形状維持部材１０６の交換、吸収部材１０２の交換を容易に行うことができる。
【００８２】
図６は、形状維持部材の実施形態を示す図である。図６（ａ）は、図５に示す形状維持部材１０６の平面図、正面図、および側面図である。図６（ａ）に示す形状維持部材１０６は、ヘッドモジュール７２−ｉに当接する当接部１３２と、吸収部材１０２を挟持して保持する側部１３４からなっている。形状維持部材１０６は、ヘッドモジュール７２−ｉの短手方向のほぼ全域にわたり配置されるように設けられており、形状維持部材１０６の、ノズル面との反対側が密閉されている。また、図６（ａ）においては、形状維持部材１０６に取っ手１２６を設け、ヘッドモジュール７２−ｉの繋ぎ部からの形状維持部材１０６の取り外しを容易にすることができ、形状維持部材１０６および吸収部材１０２の交換作業を簡易化することができる。また、形状維持部材１０６は高剛性の部材で形成されているため、ヘッドモジュール７２−ｉを交換し、インクジェットヘッド７２を組み立てる際、形状維持部材１０６の当接部１３２を両側のヘッドモジュール７２−ｉの当接面１０５（図５に記載）に当接することで、ヘッドモジュールの位置を精度良く組み立てることができ、位置決め精度を保障することができる。このように、形状維持部材１０６をヘッドモジュール７２−ｉの交換時のスペーサーとして利用することができるので、ヘッドモジュール７２−ｉの交換作業を簡略化することができる。
【００８３】
また、形状維持部材１０６は少なくとも、ノズル面側が開放されており、開放されたノズル面側から吸収部材１０２でインク、洗浄液を吸収することができれば良いが、形状維持部材１０６の側部１３４をメッシュ状にする、または、穴を設けることで、形状維持部材１０６の側部１３４側からも吸収部材１０２にインクおよび洗浄液を吸収させることができるので、好ましい。
【００８４】
図６（ｂ）は、形状維持部材１０８をビス型としたものであり、形状維持部材１０８の上部（インクジェットヘッドのノズル面の反対側）を密閉したものである。図６（ｂ）に示すように、形状維持部材１０８をビス型とし、このビス型の形状維持部材１０８を、ヘッドモジュール７２−ｉの繋ぎ合わせ部の短手方向に複数設置することで、インクおよび洗浄液の吸収を行うことができる。図６（ｂ）のように、形状維持部材１０８をビス型とし、複数設けることで、図６（ａ）に示す形状維持部材１０６と比較し、ヘッドモジュール７２−ｉの短手方向全域に精度良く作成する必要がないので、ヘッドモジュール７２−ｉの位置決め精度をより確保しやすくすることができる。
【００８５】
図６（ｃ）に示す形状維持部材１１０、図６（ｄ）に示す形状維持部材１１２は、図６（ａ）、（ｂ）に示す形状維持部材１０６、１０８の上部（形状維持部材をヘッドモジュール間に設置した際のノズル面７２Ａと反対側）に開放部１４０を設けたものである。形状維持部材１１０、1１２ように、上部を開放することで、吸収部材１０２に吸収した液体の乾燥を促すことができるので、吸収部材１０２の交換作業の回数を減らすことができる。さらに、形状維持部材１１０、１１２の上方にドライエアを送風することにより、吸収部材１０２からの乾燥を促進させることができる。
【００８６】
図６（ｅ）は、形状維持部材１１４を、吸収部材１０２を挟むように分離した構成としたものである。図６（ｅ）に示すように、形状維持部材１１４を分離する構成とすることで、吸収部材１０２を挟む長さｌを調節することができる。したがって、用いられる吸収部材１０２の厚みに適した長さｌに調節することができる。
【００８７】
図６（ｆ）は、分離した形状維持部材１１６の間に、バネ、ネジなどの長さ調節部材１２８を設けたものである。長さ調節部材１２８を設けることにより、形状維持部材１１６の剛性を高くすることができる。
【００８８】
図６（ｇ）は、形状維持部材１１８の下部（インクジェットヘッドのノズル面側）に爪１３０を備える構成としたものである。爪１３０を供えることにより、形状維持部材１１８に設けられた吸収部材１０２が落下することを防止することができる。
【００８９】
なお、図６（ｅ）〜（ｇ）に示す形状維持部材についても、形状維持部材をヘッドモジュール７２−ｉ間に設置した際のノズル面との反対側が開放されているので、吸収部材１０２からの液体の乾燥を促進させることができる。
【００９０】
図６（ｈ）、図７（ｉ）、（ｊ）の形状維持部材１２０、１２２、１２４は、図６（ａ）〜（ｇ）までの形状維持部材のヘッドモジュールとの当接部１３２のみとした構成である。形状維持部材の当接部１３２のみの構成とすることで、シンプルな構成で取り扱いを容易にすることができる。なお、図６（ｈ）は、図６（ｃ）の側部１３４を外したものであり、図７（ｊ）は、図６（ｄ）の側部１３４を外したものである。また、図７（ｉ）は、図６（ｈ）の形状維持部材１２０に長さ調節部材１２８を設けたものであり、吸収部材１０２を保持する位置を固定することができ、形状維持部材１２２の剛性を高くすることができる。
【００９１】
形状維持部材の材質としては、ＳＵＳなどの耐腐食性金属材料、エポキシ樹脂やアクリル系光硬化性樹脂材料などの樹脂材料を挙げることができる。形状維持部材の材質を剛性の高い材質とすることにより、側部１３４を有する実施形態においては、吸収部材１０２の変形を防止することができ、また、吸収部材が押されて吸収したインクおよび洗浄液が再放出することを防止することができる。
【００９２】
ヘッドモジュール７２−ｉの側面に施す親水化処理の方法としては、励起光を照射する表面改質方法により行うことができる。励起光としては、紫外線または酸素プラズマなどのエネルギー線を用いることができる。
【００９３】
図８は、吸収部材１０２の形状の一例を示す図である。図８（ａ）は円筒型の吸収部材１０２ａであり、これは、図６（ｂ）、（ｄ）などで示すビス型の形状維持部材１０８、１１２，１２４に用いることができる、また、図８（ｂ）は、シート型の吸収部材１０２ｂであり、図６（ａ）、（ｈ）などのＴ字型の形状維持部材１０６、または、直方体型の形状維持部材１２０に用いることができる。また、図８（ｃ）の吸収部材１０２ｃ、図８（ｄ）の吸収部材１０２ｄは、図７（ｂ）、（ａ）を四角錐型、円錐型としたものであり、図８（ｃ）、（ｄ）の吸収部材を使用することで、形状維持部材との間に隙間を設けることで、毛管圧を大きくし、液吸収効率を向上させることができる。また、吸収部材１０２は、孔１３８を有しているので、毛管圧により液体の吸収を促進させることができる。
【００９４】
また、図５に示すように、吸収部材１０２に別部材としてに取っ手１３６を設けることで、吸収部材１０２のみの交換作業を簡略化することもできる。
【００９５】
吸収部材１０２としては、高給水性樹脂ＳＡＰ（Ｓｕｐｅｒ  Ａｂｓｏｒｂｅｎｔ  Ｐｏｌｙｍｅｒ）として一般的である、ポリアクリル酸塩系、ポリスルホン酸塩系、無水マレイン酸塩系ポリアクリルアミド系、ポリビニルアルコール系、ポリエチレンオキサイド系などの材料を加工し、内部および表面を多孔質加工した吸収部材を挙げることができる。
【００９６】
吸収部材１０２の加工方法としては、凍結乾燥機を用いた液体の状態変化を利用したフリーズドライ法、ソルトリーチングに代表される選択溶解法、吸水性粒子の焼結、ＭＥＭＳ（Micro Electro Mechanical System）に代表される微細加工技術により加工することができる。
【００９７】
例えば、ソルトリーチング法としては、吸収部材の材料となる樹脂を有機溶媒に溶解した液に、塩化ナトリウムなどの塩を加えた後、固化し、その後、水中に浸して塩を取り除くことで、塩の部分に孔が形成され、多孔質体を形成することができる。選択溶解法においては、塩の代わりに樹脂を固める段階では溶媒に溶けず、あとで水で取り除くことができるものであれば、利用することができ、例えば、砂糖なども使用することができる。
【００９８】
また、フリーズドライ法は、樹脂材料が溶解した溶液を凍結させ、これを高真空化に保存することにより、溶媒を昇華させることができ、溶媒が昇華した部分に孔が形成され、多孔質体を形成することができる。
【００９９】
吸水性粒子の焼結は、吸水性粒子を加熱することで、吸水性粒子が徐々に接着し、吸水性粒子間の隙間が孔となり、多孔質材料を形成することができる。微細加工技術としては、シリコンなどの半導体を加工する技術などのように、エッチングなどにより孔を形成することで多孔質体を形成することができる。
【０１００】
≪メンテナンス部の説明≫
次にメンテナンス部の説明をする。図９は、インクジェット記録装置の描画部の概略構成を示す側面図である。
【０１０１】
描画ドラム７０は、その回転軸２１８の両端部を一対の軸受２２２に軸支されて回転自在に設けられている（図１０参照）。一対の軸受２２２は、インクジェット記録装置の本体フレーム２２０に設けられており、この一対の軸受２２２に回転軸２１８の両端部が軸支されることにより、描画ドラム７０は水平に取り付けられる（水平な設置面に対して回転軸２１８が平行に取り付けられる。）。
【０１０２】
４本のインクジェットヘッド７２Ｍ、７２Ｋ、７２Ｃ、７２Ｙは、描画ドラム７０の回転軸２１８を中心とした同心円上に一定の間隔をもって放射状に配置され、図１０に示すように、ヘッド支持フレーム２４０に取り付けられて、描画ドラム７０の周囲に配置される。
【０１０３】
ヘッド支持フレーム２４０は、描画ドラム７０の回転軸２１８と直交して設けられた一対のサイドプレート２４２Ｌ、２４２Ｒと、その一対のサイドプレート２４２Ｌ、２４２Ｒを上端部で連結する連結フレーム２４４とで構成されている。
【０１０４】
一対のサイドプレート２４２Ｌ、２４２Ｒは、板状に形成されており、描画ドラム７０を挟んで互いに対向するように配置されている。この一対のサイドプレート２４２Ｌ、２４２Ｒの内側には、各インクジェットヘッド７２Ｍ、７２Ｋ、７２Ｃ、７２Ｙを取り付けるための取付部２４６Ｍ、２４６Ｋ、２４６Ｃ、２４６Ｙが設けられている（図１０では、便宜上、取付部２４６Ｙのみ図示）。
【０１０５】
取付部２４６Ｃ、２４６Ｍ、２４６Ｙ、２４６Ｋは、描画ドラム７０の回転軸２１８を中心とした同心円上に一定の間隔をもって放射状に配置されている。各インクジェットヘッド７２Ｍ、７２Ｋ、７２Ｃ、７２Ｙは、その両端に形成された被取付部２４８Ｍ、２４８Ｋ、２４８Ｃ、２４８Ｙ（図１０では、便宜上、被取付部２４８Ｙのみ図示）を取付部２４６Ｍ、２４６Ｋ、２４６Ｃ、２４６Ｙに固定することにより、ヘッド支持フレーム２４０に取り付けられる。そして、このヘッド支持フレーム２４０に取り付けられることにより、各インクジェットヘッド７２Ｍ、７２Ｋ、７２Ｃ、７２Ｙが、描画ドラム７０の回転軸２１８を中心とした同心円上に一定の間隔をもって放射状に配置される。
【０１０６】
ヘッド支持フレーム２４０は、図示しないガイドレールにガイドされて、描画ドラム７０の回転軸２１８と平行にスライド移動自在に設けられている。そして、図示しないリニア駆動機構（たとえば、送りネジ機構など）に駆動されて、図１０に実線で示す「画像記録位置」と図１０に破線で示す「メンテナンス位置」との間を移動する。
【０１０７】
各インクジェットヘッド７２Ｍ、７２Ｋ、７２Ｃ、７２Ｙは、ヘッド支持フレーム２４０を画像記録位置に位置させると、描画ドラム７０の周囲に配置され、画像記録可能な状態になる。
【０１０８】
メンテナンス位置は、各インクジェットヘッド７２Ｍ、７２Ｋ、７２Ｃ、７２Ｙが描画ドラム７０から退避する位置に設定される。このメンテナンス位置には、各インクジェットヘッド７２Ｍ、７２Ｋ、７２Ｃ、７２Ｙを保湿するための保湿ユニット２５０が設けられる。
【０１０９】
保湿ユニット２５０には、各インクジェットヘッド７２Ｍ、７２Ｋ、７２Ｃ、７２Ｙのノズル面を覆うキャップ２５２Ｍ、２５２Ｋ、２５２Ｃ、２５２Ｙ（図１０では、便宜上、キャップ２５２Ｙのみ図示）が備えられている。装置を長時間停止する場合などは、このキャップ２５２Ｍ、２５２Ｋ、２５２Ｃ、２５２Ｙでノズル面が覆われる。これにより、乾燥による不吐出が防止される。
【０１１０】
なお、このキャップ２５２Ｍ、２５２Ｋ、２５２Ｃ、２５２Ｙには、図示しない加圧・吸引機構が備えられており、ノズル内を加圧・吸引できるように構成されている。
【０１１１】
また、このキャップ２５２Ｍ、２５２Ｋ、２５２Ｃ、２５２Ｙには、図示しない洗浄液供給機構が備えられており、内部に洗浄液を供給できるように構成されている。
【０１１２】
キャップ２５２Ｍ、２５２Ｋ、２５２Ｃ、２５２Ｙの下方位置には廃液トレイ２５４が配置されている。キャップ２５２Ｍ、２５２Ｋ、２５２Ｃ、２５２Ｙに供給された洗浄液は、この廃液トレイ２５４に廃棄され、廃液回収配管２５６を介して廃液タンク２５８に回収される。
【０１１３】
画像記録位置とメンテナンス位置との間には、各インクジェットヘッド７２Ｍ、７２Ｋ、７２Ｃ、７２Ｙのノズル面７２ＡＭ、７２ＡＫ、７２ＡＣ、７２ＡＹを清掃するためのノズル面清掃装置２６０が設けられている。各インクジェットヘッド７２Ｍ、７２Ｋ、７２Ｃ、７２Ｙは、メンテナンス位置から画像記録位置に移動する過程で、または、画像記録位置からメンテナンス位置に移動する過程で、このノズル面清掃装置２６０によってノズル面７２ＡＭ、７２ＡＫ、７２ＡＣ、７２ＡＹが清掃される。
【０１１４】
図１０に示すように、ノズル面清掃装置２６０は、洗浄液付与装置（洗浄液噴射部）２６２とノズル面払拭装置２６４とを備えて構成されている。
【０１１５】
洗浄液付与装置２６２は、画像記録位置からメンテナンス位置に向かって移動する各インクジェットヘッド７２Ｍ、７２Ｋ、７２Ｃ、７２Ｙのノズル面７２ＡＭ、７２ＡＫ、７２ＡＣ、７２ＡＹに洗浄液を付与する。
【０１１６】
ノズル面払拭装置２６４は、洗浄液が付与された各インクジェットヘッド７２Ｍ、７２Ｋ、７２Ｃ、７２Ｙのノズル面７２ＡＭ、７２ＡＫ、７２ＡＣ、７２ＡＹに払拭ウエブを押圧当接させて、ノズル面７２ＡＭ、７２ＡＫ、７２ＡＣ、７２ＡＹを払拭する。
【０１１７】
洗浄液付与装置２６２とノズル面払拭装置２６４は、ヘッド支持フレーム２４０の移動経路上に配置される。この際、ノズル面払拭装置２６４が洗浄液付与装置２６２に対してメンテナンス位置側に配置される。これにより、各インクジェットヘッド７２Ｍ、７２Ｋ、７２Ｃ、７２Ｙを画像記録位置からメンテナンス位置に移動させた際、洗浄液の付与後に払拭ウエブでノズル面７２ＡＭ、７２ＡＫ、７２ＡＣ、７２ＡＹを払拭することができる。
【０１１８】
図１０に示すように、ノズル面払拭装置２６４は、インクジェットヘッド７２の長手方向に沿って払拭する。インクジェットヘッド７２の長手方向に沿って払拭することにより、払拭方向のヘッドモジュール７２−ｉ間に吸収部材１０２を備えているので、洗浄液、余剰インクをノズル面払拭装置で払拭しながら、吸収部材に効率良く吸収させることができる。
【符号の説明】
【０１１９】
１０…インクジェット記録装置、１２…給紙部、１４…処理液付与部、１６…描画部、１８…乾燥部、２０…定着部、２２…排出部、２４…記録媒体、７０…描画ドラム、７２…インクジェットヘッド、７２Ａ…ノズル面、７２Ｂ…ヘッドモジュール支持部材、１０２…吸収部材、１０４…側面、１０５…当接面、１０６、１０８、１１０、１１２、１１４、１１６、１１８、１２０、１２２、１２４…形状維持部材、１２６、１３６…取っ手、１２８…長さ調節部材、１３０…爪、１３２…当接部、１３４…側部、１３８…孔、１４０…開放部、１５１…ノズル、２６０…ノズル面清掃装置、２６２…洗浄液付与装置、２６４…ノズル面払拭装置
【図１】
2014051028.tif 000003
【図２】
2014051028.tif 000004
【図３】
2014051028.tif 000005
【図４】
2014051028.tif 000006
【図５】
2014051028.tif 000007
【図６】
2014051028.tif 000008
【図７】
2014051028.tif 000009
【図８】
2014051028.tif 000010
【図９】
2014051028.tif 000011
【図１０】
2014051028.tif 000012